(57)【要約】【課題】  柔らかい結び紐を備えた穀類包装用紙袋を提供すること。【解決手段】  有底筒状の袋本体１０を有し、袋本体１０の上端部寄りで該袋本体１０の開口部１１に沿う外面に結び紐２０が添着され、結び紐２０は袋本体１０の開口部１１の幅より長く、その両端が該袋本体１０から延出されてなる穀類包装用紙袋１において、前記結び紐２０が、テープ状の紙シート２１から構成され、該紙シート２１をシート短手方向で折り重ねた扁平状紙紐２２からなるもの。【選択図】  図１
2017074978.tif 000002
【特許請求の範囲】
【請求項１】
有底筒状の袋本体を有し、
袋本体の上端部寄りで該袋本体の開口部に沿う外面に結び紐が添着され、
結び紐は袋本体の開口部の幅より長く、その両端が該袋本体から延出されてなる穀類包装用紙袋において、
前記結び紐が、テープ状の紙シートから構成され、該紙シートをシート短手方向で折り重ねた扁平状紙紐からなることを特徴とする穀類包装用紙袋。
【請求項２】
前記結び紐が、円網抄紙機によって製造されたテープ状の紙シートから構成されてなる請求項１に記載の穀類包装用紙袋。
【請求項３】
前記結び紐が、長網抄紙機によって製造されたテープ状の紙シートから構成されてなる請求項１に記載の穀類包装用紙袋。
【請求項４】
前記結び紐が、紙シートのシート短手方向の一方の外縁部を該紙シートの裏面の側で該シート短手方向に１回以上折り込んだ一側折り重ね部と、シート短手方向の他方の外縁部を該紙シートの裏面の側で該シート短手方向に１回以上折り込んだ他側折り重ね部とを、向い合せで折り重ねた扁平状紙紐からなる請求項１乃至３のいずれかに記載の穀類包装用紙袋。
【請求項５】
前記結び紐が、エンボス加工されて多数の凹部を備える紙シートから構成されてなる請求項１乃至４のいずれかに記載の穀類包装用紙袋。
【請求項６】
前記エンボス加工された紙シートが、１インチ四方あたり60個以上140個以下の凹部を備える請求項５に記載の穀類包装用紙袋。
【発明の詳細な説明】
【技術分野】
【０００１】
本発明は、米、麦等の穀物を充填して収納するための穀類包装用紙袋に関する。
【背景技術】
【０００２】
穀類包装用紙袋として、特許文献１に記載の如く、有底筒状の袋本体を有し、袋本体の上端部寄りで該袋本体の開口部に沿う外面に結び紐が添着され、結び紐は袋本体の開口部の幅より長く、その両端が該袋本体から延出されてなるものが提案されている。
【０００３】
穀類包装用紙袋は、米、麦等の穀物を袋本体に充填し、袋本体の上端部を開口部が閉じるように巻き込んだ後、結び紐の両端を蝶々結び等で結んで袋本体を閉じることにより、穀物を収納できる。また、穀物が収納された穀類包装用紙袋は、結び紐をほどき、袋本体の開口部を再度開くことにより、穀物を取り出しできる。
【先行技術文献】
【特許文献】
【０００４】
【特許文献１】実用新案登録第3161476号公報
【発明の概要】
【発明が解決しようとする課題】
【０００５】
しかしながら、特許文献１に記載の穀類包装用紙袋では、結び紐として紙バンドを用いている。紙バンドは、複数本の棒状撚り紐を並べて糊接着し、固化したものであり、硬く、結びにくいし、運搬時に持上用手掛けとして用いるときに手に痛いという不都合がある。
【０００６】
本発明の課題は、柔らかい結び紐を備えた穀類包装用紙袋を提供することにある。
【課題を解決するための手段】
【０００７】
請求項１に係る発明は、有底筒状の袋本体を有し、袋本体の上端部寄りで該袋本体の開口部に沿う外面に結び紐が添着され、結び紐は袋本体の開口部の幅より長く、その両端が該袋本体から延出されてなる穀類包装用紙袋において、前記結び紐が、テープ状の紙シートから構成され、該紙シートをシート短手方向で折り重ねた扁平状紙紐からなるようにしたものである。
【０００８】
請求項２に係る発明は、請求項１に係る発明において更に、前記結び紐が、円網抄紙機によって製造されたテープ状の紙シートから構成されてなるようにしたものである。
【０００９】
請求項３に係る発明は、請求項１に係る発明において更に、前記結び紐が、長網抄紙機によって製造されたテープ状の紙シートから構成されてなるようにしたものである。
【００１０】
請求項４に係る発明は、請求項１乃至３のいずれかに係る発明において更に、前記結び紐が、紙シートのシート短手方向の一方の外縁部を該紙シートの裏面の側で該シート短手方向に１回以上折り込んだ一側折り重ね部と、シート短手方向の他方の外縁部を該紙シートの裏面の側で該シート短手方向に１回以上折り込んだ他側折り重ね部とを、向い合せで折り重ねた扁平状紙紐からなるようにしたものである。
【００１１】
請求項５に係る発明は、請求項１乃至４のいずれかに係る発明において更に、前記結び紐が、エンボス加工されて多数の凹部を備える紙シートから構成されてなるようにしたものである。
【００１２】
請求項６に係る発明は、請求項５に係る発明において更に、前記エンボス加工された紙シートが、１インチ四方あたり60個以上140個以下の凹部を備えるようにしたものである。
【発明の効果】
【００１３】
（請求項１）
(a)穀類包装用紙袋において、紙シートから構成された扁平状紙紐からなる結び紐は、柔らかく、結び易いし、運搬時に持上用手掛けとして用いたときに手に優しく、使い勝手が良い。
【００１４】
（請求項２）
(b)円網抄紙機によって製造された紙シートから構成された扁平状紙紐からなる結び紐は、紙シートの材質自体に起因する柔らかさを有し、結び易いし、運搬時に持上用手掛けとして用いたときに手に優しく、使い勝手が良い。
【００１５】
（請求項３）
(c)長網抄紙機によって製造された紙シートから構成された扁平状紙紐からなる結び紐は、紙シートの品種の選択、紙厚の選択によって、柔らかさを有し、かつ必要な強靭さを備えるものとすることができる。
【００１６】
（請求項４）
(d)結び紐が、紙シートのシート短手方向の一方の外縁部を該紙シートの裏面の側で該シート短手方向に１回以上折り込んだ一側折り重ね部と、シート短手方向の他方の外縁部を該紙シートの裏面の側で該シート短手方向に１回以上折り込んだ他側折り重ね部とを、向い合せで折り重ねた扁平状紙紐からなる。これにより、扁平状紙紐からなる結び紐は、紙シートの外縁部を該扁平状紙紐の折り重ね断面内に包み込んで該紙紐の外周に露出させないから、該紙シートの外縁部の切刃状エッジが使用者の手に触れることがなく、その手を痛めるおそれがない。
【００１７】
（請求項５、６）
(e)結び紐が、エンボス加工されて多数の凹部を備える紙シートから構成されることにより、結び紐を一層柔らかにすることができる。また、結び紐は、エンボス加工された凹部の存在により、手に滑りにくくなり、一層結び易くなる。
【００１８】
尚、扁平状紙紐の折り重ね部で折り重なる紙シート同士を糊接着するとき、該紙シートの凹部が糊を保持して接着の安定確実を図ることができる。
【図面の簡単な説明】
【００１９】
【図１】図１は穀類包装用紙袋を示す模式図である。
【図２】図２は扁平状紙紐の一例を示す模式図である。
【図３】図３は扁平状紙紐の他の例を示す模式図である。
【発明を実施するための形態】
【００２０】
図１に示した穀類包装用紙袋１は、有底筒状の袋本体１０を有し、袋本体１０の上端部寄りで該袋本体１０の開口部１１に沿う外面に結び紐２０が添着される。結び紐２０は袋本体１０の開口部１１の幅より長く、その両端が袋本体１０から外方に延出される。
【００２１】
袋本体１０は、クラフト紙等からなり、筒状の胴部１０Ａと、胴部１０Ａの下端部を閉じる底部１０Ｂとを有する。袋本体１０の胴部１０Ａは、その上端部に開口部１１を有し、その上端部寄りで該開口部１１に沿う外面に結び紐２０を糊接着する等により添着して備え、その結び紐２０の下端部寄りで該結び紐２０に沿う位置には折りぐせ部１２を設けてある。
【００２２】
結び紐２０は、古紙又はパルプを原料として円網抄紙機によって製造されたテープ状の紙シート２１から構成され、該紙シート２１をシート短手方向で折り重ねた扁平状紙紐２２からなる。即ち、結び紐２０は、図２に示す如く、紙シート２１のシート短手方向の一方の外縁部２１Ａを該紙シート２１の裏面（図２の紙面に表われている面）の側で該シート短手方向に１回以上（本実施例では、図２（Ｂ）と図２（Ｃ）の２回）折り込んだ一側折り重ね部２２Ａと、紙シート２１のシート短手方向の他方の外縁部２１Ｂを該紙シート２１の裏面（図２の紙面に表われている面）の側で該シート短手方向に１回以上（本実施例では、図２（Ｂ）と図２（Ｃ）の２回）折り込んだ他側折り重ね部２２Ｂとを、図２（Ｄ）に示す如くに向い合わせで折り重ねた扁平状紙紐２２からなる。扁平状紙紐２２は、紙シート２１の上述の折り重ね過程で、プレス手段により扁平化される。
【００２３】
尚、扁平状紙紐２２は、各折り重ね部２２Ａ、２２Ｂの重なり面、及び折り重ね部２２Ａと折り重ね部２２Ｂの重なり面で相重なる紙シート２１同士を、酢酸ビニル系糊等により糊接着することとしている。但し、扁平状紙紐２２の折り重ね状態を上述のプレス手段により扁平化されて固定化される等により、糊接着によることなく安定維持できるときには、上述の糊接着は不要とすることもできる。
【００２４】
穀類包装用紙袋１にあっては、米、麦等の穀物を袋本体１０に充填し、袋本体１０の上端部の折りぐせ部１２を巻き込んで開口部１１を閉じた後、結び紐２０の両端を蝶々結び等で閉じることにより、穀物を収納できる。また、穀物が収納された紙袋１は、結び紐２０をほどき、袋本体１０の開口部１１を再度開くことにより、穀物を取り出しできる。
【００２５】
尚、本発明者は、下記i、iiの知見に基づき、柔らかくソフトで、シート長手方向に沿う極端な繊維配向性によって引張強さの大きい、円網抄紙機によって製造された紙シート２１を、結び紐２０のための紙シートとして初めて採用するに至った。
【００２６】
i．円網抄紙機で古紙又はパルプを原料として抄造した紙は、従来、巻きタバコ用紙、家庭用ティッシュ用紙に用いられ、柔らかくソフトな感じの仕上がりを呈する。
【００２７】
ii．円網抄紙機については、有限会社中外産業調査会発行の図解製紙百科（昭和60年8月1日発行）の296頁乃至297頁に「円網フォーマー上のシート形成の原理は重力式濃縮機（9.6節参照）と事実上同じである。ワイヤー（またはプラスチック）用具面を持つ横型円筒が希薄紙料液のパッド内で回転する。原料に伴う水は円網を通して切られ、用具の上に繊維の層が沈積する。……シートはまた繊維沈積の方法によっておこる極端な指向性（繊維配向）を持つ。（注意；指向性はマシン流れ方向とマシン幅方向試験片から得た引張り値の比によって測定するのが普通である。バット円網抄造板紙では5.0以上の値が代表的であり、これに対し長網抄造機は2.0以下である。）」の如くに記載の通り、紙シートのシート長手方向に沿う極端な繊維配向性（紙シートの繊維がシート長手方向に長い状態）をもつ。
【００２８】
従って、本発明によれば以下の作用効果を奏する。
(a)円網抄紙機によって製造された紙シート２１から構成された扁平状紙紐２２からなる結び紐２０は、柔らかく、結び易いし、運搬時に持上用手掛けとして用いたときに手に優しく、使い勝手が良い。
【００２９】
(b)円網抄紙機によって製造された紙シート２１から構成された扁平状紙紐２２からなる結び紐２０は、紙シート２１のシート長手方向に沿う極端な繊維配向性（紙シート２１の繊維がシート長手方向に長い状態）をもって引張強さが大きく、穀物等の重量物の運搬に際して持上用手掛けとして用いるに必要な強靭さを備える。
【００３０】
(c)結び紐２０が、紙シート２１のシート短手方向の一方の外縁部２１Ａを該紙シート２１の裏面の側で該シート短手方向に１回以上折り込んだ一側折り重ね部２２Ａと、シート短手方向の他方の外縁部２１Ｂを該紙シート２１の裏面の側で該シート短手方向に１回以上折り込んだ他側折り重ね部２２Ｂとを、向い合せで折り重ねた扁平状紙紐２２からなる。これにより、扁平状紙紐２２からなる結び紐２０は、紙シート２１の外縁部２１Ａ、２１Ｂを該扁平状紙紐２２の折り重ね断面内に包み込んで該紙紐の外周に露出させないから、該紙シート２１の外縁部の切刃状エッジが使用者の手に触れることがなく、その手を痛めるおそれがない。
【００３１】
図１に示した穀類包装用紙袋１は、結び紐２０（扁平状紙紐２２）を構成する紙シート２１として、図３に示したエンボス付きの紙シート３１を用いることもできる。紙シート３１は、円網抄紙機によって製造されたテープ状の紙シート（２１）にエンボス加工を施し、多数の凹部３１Ａを備えたものである。紙シート３１に備える凹部３１Ａの個数は、好適には１インチ四方あたり60個以上140個以下であり、本実施例では121個とした。
【００３２】
エンボス付きの紙シート３１から構成されてなる結び紐２０（扁平状紙紐２２）は、結び紐２０を一層柔らかにすることができる。また、結び紐２０は、エンボス加工された凹部３１Ａの存在により、手に滑りにくくなり、一層結び易くなる。
【００３３】
また、扁平状紙紐２２の折り重ね部で相重なる紙シート３１同士を糊接着するとき、該紙シート３１の凹部３１Ａが糊を保持して接着の安定確実を図ることができる。
【００３４】
本発明の穀類包装用紙袋に用いられる結び紐としては、円網抄紙機によって製造された紙シートから構成されるものに限らず、長網抄紙機によって製造された紙シートから構成されるものであっても良い。即ち、結び紐として、長網抄紙機によって製造されたテープ状の紙シートから構成され、該紙シートをシート短手方向で折り重ねた扁平状紙紐からなるものであっても良い。
【００３５】
長網抄紙機によって製造された紙シートは、紙シートの品種の選択、紙厚の選択によって、柔らかさを有し、かつ必要な強靭さを備えるものとすることができる。
【００３６】
長網抄紙機によって製造された紙シートから構成される結び紐にあっても、紙シートのシート短手方向の一方の外縁部を該紙シートの裏面の側で該シート短手方向に１回以上折り込んだ一側折り重ね部と、シート短手方向の他方の外縁部を該紙シートの裏面の側で該シート短手方向に１回以上折り込んだ他側折り重ね部とを、向い合せで折り重ねた扁平状紙紐からなるものとすることができる。
【００３７】
また、長網抄紙機によって製造された紙シートから構成する結び紐にあっても、紙シートとしてエンボス加工されて多数の凹部を備えるものを用いることができる。このエンボス加工された紙シートは、好適には１インチ四方あたり60個以上140個以下の凹部を備える。このエンボス加工により、結び紐を一層柔らかにすることができる。また、結び紐は、エンボス加工された凹部の存在により、手に滑りにくくなり、一層結び易くなる。また、扁平状紙紐の折り重ね部で折り重なる紙シート同士を糊接着するとき、該紙シートの凹部が糊を保持して接着の安定確実を図ることができる。
【００３８】
表１は、本発明例１の結び紐（円網抄紙機で製造され、エンボス加工無の紙シートから構成された扁平状紙紐からなる結び紐）、本発明例２の結び紐（円網抄紙機で製造され、エンボス加工有の紙シートから構成された扁平状紙紐からなる結び紐）、本発明例３の結び紐（長網抄紙機で製造され、エンボス加工無の紙シートから構成された扁平状紙紐からなる結び紐）、本発明例４の結び紐（長網抄紙機で製造され、エンボス加工有の紙シートから構成された扁平状紙紐からなる結び紐）、従来例１の結び紐（紙バンドからなる結び紐）のそれぞれを用いた各穀類包装用紙袋について、各結び紐の手に対する優しさ、結び易さ、引張強さを官能試験により調査した実験結果である。本発明により、手に優しく、結び易く、強い結び紐を備えた穀類包装用紙袋を得ることができることを認めた。本発明例１乃至４の各紙シートはそれらの坪量を同一とした。
【００３９】
【表１】
2017074978.tif 000003
【００４０】
本発明の円網抄紙機と長網抄紙機で製造された紙シートは、原料として古紙とパルプのいずれを用いる場合にも、同一の紙質（柔らかさ、引張強さ）を得ることができる。
【００４１】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００４２】
本発明によれば、柔らかい結び紐、又は柔らかくかつ強い結び紐を備えた穀類包装用紙袋を得ることができる。
【符号の説明】
【００４３】
１  穀類包装用紙袋
１０  袋本体
１１  開口部
２０  結び紐
２１  紙シート
２１Ａ、２１Ｂ  外縁部
２２  扁平状紙紐
２２Ａ、２２Ｂ  折り重ね部
３１  扁平状紙紐
３１Ａ  凹部
【図１】
2017074978.tif 000004
【図２】
2017074978.tif 000005
【図３】
2017074978.tif 000006